(57)【要約】      （修正有）【課題】毎月約５４回〜５８回の繰り返しがある潮の満ち引きを利用した水力発電装置を提供する。【解決手段】干潮から満潮時にかけて、水面の変位を利用して起動水槽タワーを倒してタワーの頭部１５に海水を満タンにし、引き潮時にこれを引き起こしてこの海水を高架水槽ホッパー３２へ移動し５日間蓄えて満水とし、高架水槽ホッパー３２下部に開口した放水銃口から発電タービン４３に向けて噴射することでタービンを回転させて発電を行う。【選択図】図５
2014105702.tif 000002
【特許請求の範囲】
【請求項１】
外海の波を寄せ集めて高さを出して取り込む波高筒の海水を波高水槽え、海の潮の満ち引きを地中の潮流管を通して海水を人工運河に、その運河に浮かべたタワー水槽頭部で汲み上げ、その海水を蓄える高架水槽ホッパーえと、そのホッパーに５日間蓄えることで満杯とし、その海水を滑落下させて発電させるためのタービンえの原動力とする。
人工運河に浮かぶ起動槽とタワー水槽下部は支点部で接続され、引き潮の時間帯に波高水槽の海水を起動槽に入水することで引き起こしやすくパワーアップされます、ある一定以上を超え更に重量を増やして行くことによりタワー部が持ち上がり、高架水槽の高にさなると、タワー部の海水を高架水槽ホッパーえ入水することができることを特徴とする潮海力発電装置。
【請求項２】
潮の満ち引きは毎月約５４〜５８回の繰り返しがあります、２機の起動水槽タワーがこれに準じて満潮から干潮時にかけて起き上がり、これを高架水槽ホッパーに蓄え満タンを保ちながらの使用する、放水口ノズルからのタービン使用は３機迄通常仕様とし、４機目を水量の調整を図りながらの使用とする潮海力発電装置。
【請求項３】
巨大ダムに比較して高さと水量の不足を補うために、高架水槽ダムの４隅を放水口ノズルに向けて絞込みをする、外側コーナーに向けて海水重量が集中する２面ホッパーとし放水出口に勢いがつく高架水槽ホッパーダムを提供する潮海力発電装置。
【発明の詳細な説明】
【技術分野】
【０００１】この発明は海水を人工運河に導入し潮の満ち引きを基に、波の高さを寄せ集めて波高水槽え、満潮から干潮時にこれを使用し高架水槽タワーを引き起こして、これをダムに蓄積し発電装置のタービン回転えの原動力とするものである。
【背景技術】
【０００２】問題を抱える火力発電所ｃｏ２や原発の穴埋めとして、発電の力は小規模ではあるが自然エネルギーの代表者として、海辺の場所に数多くこれを設けることは可能であり、発電の安全性は第一とするものである。
【発明が解決しようとする課題】
【０００３】本発名は海の大自然の潮の満ち引きを利用したもので、干潮から満潮時にかけて起動水槽タワーをごく自然に倒し頭部に海水を満タンにし、引き潮時にこれを引き起こす構造にした、この海水を高架水槽ホッパーへ５日間蓄えて満水とし発電タービンの原動力とし、自然な力を活用したエネルギーとするものである。
【発明を解決するための手段】
【０００４】このような目的を達成する本発名の高架水槽タワー下部１４のタンク内部には１／２海水を入れて干潮時に運河水面と同じ２５金具が平行を保つため，潮が満ち始めると１４の右舷のみが少しづつ浮き上がり初めて１４の中の海水は次第に左に移動を始める。  （図６で示す。）
【発明を実施するための形態】
【０００５】潮の満ち引きは毎月約５４回〜５８回の繰り返しがあります。２機の起動水槽タワーがこれに準じて満潮から干潮時にかけて繰り返しがあり起き上がります、これを高架水槽ホッパーに蓄え満タンを保ちながら使用し、放水ノズルからの使用は通常仕様は３機までとし４機目の使用は水量の調整を図りながらの使用とする、巨大ダムに比較して高さと水量不足を補うために高架水槽ダムの四隅を放水口ノズルに向けて絞込み、海水重量集中を量る２面ホッパーとし外側コーナーに向け放水出口に勢いがつく高架水槽ホッパーダムにする。  （図１と図５で示す。）
【発明の効果】
【０００６】満潮時に高架水槽タワー頭部１５が満タンとなってこれを引き起こす時、１９〜１２を連結をして４起動槽下５のエアー室の空気をエアー送風管６のキャプを外すと、自然に１３排水口より入水を初めて、起動槽下５を満タンにした時に、ジャバラ送水管３を通じて図１〜図２で示す波高水槽２の海水を送り込むことにより、図１２〜図１４に基づきタワー頭部１５を干潮時にかけて起動水槽４の水量をより多く増やして行くで次第に起こして行く。
【０００７】干潮時に起き上がつたタワー水槽頭部１５は縦５０ｍ横７０ｍ幅５０ｍのサイズで中身１５万ｔの海水を満水にし、図５で示すハッチ１８を開き送水溝３１を通して高架水槽ホッパー３２に送り込みタワー水槽頭部１５を空にする、満潮から干潮時が１日に２回繰り返しが続く時は起動水槽２機が５日間で高架水槽ホッパーは３００万ｔを満杯にすることができる。
【０００８】干潮時に頭部１５を空にした起動水槽タワーを倒すため干潮時から満潮時に向けて、今度は起動水槽４のハッチ７を開きエアーの送風管６を通じて今度はコンプレッサー４４で、起動槽下５にエアーを插入することで、５の海水をエアーの圧力で１３から少しづつ排水させ４の排水ハッチ７を開くことで排水をし、起動水槽４が浮上しタワー水槽頭部１５を又、倒すことになり図１２えと繰り返しとなる。
【０００９】波高水槽２は満潮から干潮時の中間時点を底とし高さ７ｍ幅３００ｍ長さ９５０ｍの大きさに４ｍから６，５ｍの高さの海水を確保するために、１８機の波高筒１を使用し波の高さがある時は図４で示す通り１Ｂを閉じて６，５ｍの高さを取り込み、波の低い時は１Ｂを開き入水４ｍ取り込むものとした、波高筒の口幅２０ｍ上り詰めた上開口部６ｍ幅の３ｍの楕円形とする。
【００１０】人工運河に浮かぶ起動水槽タワー下部１４を干潮時から潮の満ち始めを図６で示す、ｓ１が干潮時ｓ２が潮の満ち始めで、干潮時には垂直に１４は浮かんでいるが、潮が満ち始めると１４は上に浮かび上がろうとするが、運河側面２８とストッパー２６は固定化してをり２６イのストッパーの働きで左舷の２３回転軸で右舷のみが次第に浮き上がりイ、ロ、ハ、と順に傾けていく。
【００１１】潮の満ち引きは月に約５４回〜５８回あり高低差１．５ｍあります、図８は干潮時、図９は干潮時から潮が満ち始めた、イの状態は干潮時から１／４経過した側面図、そして図１０ロは中間時、図１１ハは干潮時から３／４満潮に向かい頭部１５は水面下に入り始める、２０のゴム弁が水圧で内側に押され開き始めて入水を初め満潮時には１５を満タンにする。
（模型作りでこの動きは１／１００で、水面１５ｍｍ差でテスト済）
【００１２】満潮時にタワー水槽頭部１５を満水にした図１２は、起動水槽下部エアー室５は、６のエアー送風管のキャプを外すとエアーと入れ替わりに５の底１３の排水口から入水を始めてすぐ満杯になる。
図１３は、起動水槽４内部にジャバラ送水管３を通じて、波高水槽２からの海水を注入しその海水重量と引き潮時の力を利用して、起動水槽４に増水を続けて行く事で次第に起こして行くことができる潮の中間時。
図１４は、干潮時に起動水槽４を満水にした時に頭部１５を完全に引き起こすことが出来る。
【００１３】頭部１５は図５で示す、送水構３１で高架水槽ホッパー３２に送水され、頭部１５を空にします。
【００１４】頭部１５を空にした干潮時に、図面はありませんが、図１４とは逆にこれを浮上させるために今度は起動槽４の両側面排水ハッチ７を開き、入水していた海水を排出させるために、起動槽下エアー室５にコンプレッサー４４で送風管６からエアーを插入し、エアー室５の底にある排水口１３から海水を吐き出しながらエアーの力で浮上、満潮時に向けて起動水槽４が浮かび上がり高架水槽タワー１５を又、左に倒すことができる。浮上した後からは又、図１２えと戻り図１３図１４えと繰り返しとなります。
【符号の説明】
【００１１】１、波高筒
２、波高水槽
３、ジャバラ送水管
４、起動槽
５、起動槽下浮上の時のエアー室
６、送風管．
７、起動槽排水ハッチ
８、起動槽吊りプレート
９、起動槽移動車輪
１０、起動槽移動車輪軸受け鉄骨
１１、起動槽両岸レール
１２、連結プレート
１３、エアー圧力排水口
１４、起動水槽タワー下
１５、起動水槽タワー上
１６、ストッパーエアーブイ
１７、補強つなぎ材鉄骨
１８、送水ハッチ
１９、連結プレート
２０、水圧でうちに開き重さで閉じるゴム弁
２１、エアー抜き穴
２２、六角プレートワッシャ
２３、起動水槽タワー下部と２５連結回転シャフト
２４、運河両側鋼板付き２６と２５連結回転シャフト
２５、Ｌ型金具
２６、運河両岸付きで２５の軸受けでありストッパーが回転を起こさせる。
２７、補強プレート
２８、運河両側側面鋼板
２９、運河底鋼鉄板
３０、地中潮流管
３１、送水講起き上がった１５〜３２え
３２、高架水槽ホッパー、３２イロ外側鋼板、３２ハニ〜コンクリート通し基礎
３３、放水銃口
３４、タービンの羽根
３５、タービン上外周円筒形
３６、タービン中間円筒形
３７、タービン下内側円筒形
３８、下部ターンバックル３本でシャフトの芯を調整する
３９、上部ターンバックル、上に同じ
４０、ターンバックル受け止め金具
４１、タービン回転シャフト
４２、シャフト下部軸受け水切
４３、タービン本体
４４、コンプレッサー
４５、人工運河
【図面の簡単な説明】
【００１０】
【図１】潮海力発電全体を示す立面図。（３２の矢印は底斜面鋼板塗装で海水の滑りを示す）
【図２】１〜２〜３〜４の連結側面図。（海水の流動を示す）
【図３】１の波高筒拡大平面図。
【図４】１の波高筒拡大側面図。（１Ａ波の吸収庇、１Ｂ波が低いときに開く）
【図５】１５の起動水槽タワーが起き上がって３１の溝から３２の高架水槽ホッパーえ送水する側面図。
【図６】潮が満ち始め１４の起動水槽の動きがイ〜ロ〜ハえと移動を示す拡大図。（Ｓ１干潮からＳ２潮の満ち始めた時）
【図７】運河側壁両面２８と１４は２ケ所の回転軸があり２３は２５を通じて２４の回転軸は２５を通じて２６・２８へ拡大平面図。（断面拡大図。）
【図８】干潮時に起動水槽タワー１５にはまだ水は無く水平に浮かぶ側面図。
【図９】動水槽タワーが干潮時から１／４満潮に向かったイの状態の側面図。
【図１０】起動水槽タワーが干潮時から２／４満潮に向かったロの状態の側面図。
【図１１】起動水槽タワー干潮時から３／４満潮に向かったハの状態の側面図。（２０の弁が水圧にされて内側に開き入水を始める）
【図１２】満潮時１５が満水となり５は６のエァーキャブを外すと自然に１３から入水し満タンとなり４は３からの送水により入水を始める側面図。
【図１３】満潮時から干潮の中間口の状態で３を通して４に送水中の側面図。
【図１４】干潮時４を満水とし１５を起こした側面図。
【図１５】３２高架水槽ホッパー最下部と４３タービン平面図。（Ｅ＝Ｅ上部側面放水図）
【図１６】タービン断面図。（Ｇ＝上面の一部）
【Ｌ１〜Ｌ２４サイズの説明】
【００１２】Ｌ１．．．９車輪の移動距離
Ｌ２．．．波高槽高さ
Ｌ３．．．波高槽幅
Ｌ４．．．波高槽長さ．．．
Ｌ５．．．波高筒の下の幅
Ｌ６．．．波高筒の上の幅
Ｌ７．．．タービンに係わる
Ｌ８．．．波高筒．．．
Ｌ９．．．波高筒
Ｌ１０．．．波高筒
Ｌ１１．．．波高筒
Ｌ１２．．．高架水槽高さ
Ｌ１３．．．タービンに係わる
Ｌ１４．．．タービンに係わる
Ｌ１５．．．タービンに係わる
Ｌ１６．．．タービンに係わる
Ｌ１７．．．タービンに係わる
Ｌ１８．．．タービンに係わる
Ｌ１９．．．タービンに係わる
Ｌ２０．．．タービンに係わる
Ｌ２１．．．タービンに係わる
【符号の説明】
【００１１】１、波高筒
２、波高水槽
３、ジャバラ送水管
４、起動槽
５、起動槽下浮上の時のエアー室
６、送風管．
７、起動槽排水ハッチ
８、起動槽吊りプレート
９、起動槽移動車輪
１０、起動槽移動車輪軸受け鉄骨
１１、起動槽両岸レール
１２、連結プレート
１３、エアー圧力排水口
１４、起動水槽タワー下
１５、起動水槽タワー上
１６、ストッパーエアーブイ
１７、補強つなぎ材鉄骨
１８、送水ハッチ
１９、連結プレート
２０、水圧でうちに開き重さで閉じるゴム弁
２１、エアー抜き穴
２２、六角プレートワッシャ
２３、起動水槽タワー下部と２５連結回転シャフト
２４、運河両側鋼板付き２６と２５連結回転シャフト
２５、Ｌ型金具
２６、運河両岸付きで２５の軸受けでありストッパーが回転を起こさせる。
２７、補強プレート
２８、運河両側側面鋼板
２９、運河底鋼鉄板
【図１】
2014105702.tif 000003
【図２】
2014105702.tif 000004
【図３】
2014105702.tif 000005
【図４】
2014105702.tif 000006
【図５】
2014105702.tif 000007
【図６】
2014105702.tif 000008
【図７】
2014105702.tif 000009
【図８】
2014105702.tif 000010
【図９】
2014105702.tif 000011
【図１０】
2014105702.tif 000012
【図１１】
2014105702.tif 000013
【図１２】
2014105702.tif 000014
【図１３】
2014105702.tif 000015
【図１４】
2014105702.tif 000016
【図１５】
2014105702.tif 000017
【図１６】
2014105702.tif 000018